(57)【要約】【課題】把手として機能する手掛かり用凹所を利用して、蝶番による扉板間隙間を前方から被覆して外観性を向上させること。【解決手段】少なくとも一方の扉板２の側端部２ａに上下方向Ｂに亘って平面視略Ｕ字状に窪んだ手掛かり用凹所４を形成し、他方の扉板２の側端部２ａから手掛かり用凹所４に向かって後方延出片５を延出して、２枚の扉板を閉じた状態で後方延出片５を手掛かり用凹所４の前側片６と前後方向Ｄに重なるように配置すると共に、前側片６の根元部分６ａの後方Ｆ位置にて後方延出片５の後面部分７と手掛かり用凹所４の後面部分８とを蝶番３で回転自在に連結した折戸１である。【選択図】図１
2008240377.tif 000002
【特許請求の範囲】
【請求項１】
２枚の扉板の相対向する両側端部が蝶番を介して回動自在に連結された折戸において、少なくとも一方の扉板の側端部に上下方向に亘って平面視略Ｕ字状に窪んだ手掛かり用凹所を形成し、他方の扉板の側端部から該手掛かり用凹所に向かって後方延出片を延出して、２枚の扉板を閉じた状態で該後方延出片が手掛かり用凹所の前側片と前後方向に重なるように配置すると共に、該前側片の根元部分の後方位置にて該後方延出片の後面部分と手掛かり用凹所の後面部分とを蝶番で回転自在に連結してなることを特徴とする折戸。
【請求項２】
上記後方延出片の蝶番が取り付けられる後面部分と反対側の前端角部を面取りしたことを特徴とする請求項１記載の折戸。
【請求項３】
上記後方延出片の蝶番が取り付けられる後面部分と反対側の前端角部から、手掛かり用凹所の前側片の根元部分に向かって突出する凸リブを設けたことを特徴とする請求項１記載の折戸。
【請求項４】
上記手掛かり用凹所の前側片の後面側に、後方延出片の蝶番が取り付けられる後面部分と反対側の前端面と重なるように配置される突条部を設け、後方延出片の前端角部を突条部にて前方から覆うようにしたことを特徴とする請求項１記載の折戸。 
【発明の詳細な説明】
【技術分野】
【０００１】
本発明は、例えば部屋のクローゼットや間仕切りに使用する折戸に関するものである。
【背景技術】
【０００２】
従来、家具クロッゼト等の折戸は、２枚の扉板の相対向する側端部間を蝶番を用いて連結する構造になっている（例えば、特許文献１参照）。
【０００３】
従来の折戸の蝶番連結構造では、折戸を閉じるとき、即ち複数枚の扉板が全て平らな状態になるときに、蝶番による扉板間隙間が必然的に生じる。この扉板間隙間によって外観性が損なわれるという問題があった。また折戸を部屋の間仕切りに使用した場合は、扉板間隙間から隣室の明かりが漏れてしまい、間仕切りをした効果が減少されるという問題もあった。
【特許文献１】特開２００４−２０４５０３号公報
【発明の開示】
【発明が解決しようとする課題】
【０００４】
本発明は上記の従来の問題点に鑑みて発明したものであって、把手として機能する手掛かり用凹所を利用して、蝶番による扉板間隙間を前方から被覆でき、外観性が向上する折戸を提供することを課題とするものである。
【課題を解決するための手段】
【０００５】
前記課題を解決するために本発明は、２枚の扉板２の相対向する両側端部２ａが蝶番３を介して回動自在に連結された折戸において、少なくとも一方の扉板２の側端部２ａに上下方向Ｂに亘って平面視略Ｕ字状に窪んだ手掛かり用凹所４を形成し、他方の扉板２の側端部２ａから該手掛かり用凹所４に向かって後方延出片５を延出して、２枚の扉板２を閉じた状態で該後方延出片５を手掛かり用凹所４の前側片６と前後方向Ｄに重なるように配置すると共に、該前側片６の根元部分６ａの後方Ｆ位置にて該後方延出片５の後面部分７と手掛かり用凹所４の後面部分８とを蝶番３で回転自在に連結してなることを特徴としている。
【０００６】
このような構成とすることで、２枚の扉板２を閉じたときには、手掛かり用凹所４の前側片６の根元部分６ａの後方Ｆ位置に蝶番３による扉板間隙間９が配置されることになり、これにより前側片６は把手としての本来機能に加えて扉板間隙間９を覆い隠す隙間カバー機能を有するようになり、折戸１の美観が向上するようになる。
【０００７】
また、上記後方延出片５の蝶番３が取り付けられる後面部分７と反対側の前端角部５ａを面取りするのが好ましく、この場合、後方延出片５の前端角部５ａとの手掛かり用凹所４との境目がぼやけて、境目を目立ちにくくできる。
【０００８】
また、上記後方延出片５の蝶番３が取り付けられる後面部分７と反対側の前端角部５ａから、手掛かり用凹所４の前側片６の根元部分６ａに向かって突出する凸リブ１０を設けるのが好ましく、この場合、どの角度から見ても凸リブ１０によって後方延出片５の前端角部５ａと手掛かり用凹所４との境目や扉板間隙間９を見えないようにできる。
【０００９】
また、上記手掛かり用凹所４の前側片６の後面側に、後方延出片５の蝶番３が取り付けられる後面部分７と反対側の前端面５ｂと重なるように配置される突条部１１を設け、後方延出片５の前端角部５ａを突条部１１にて前方から覆うようにするのが好ましく、この場合、突条部１１が後方延出片５の前端面５ｂと重なることによって、どの角度から見ても後方延出片５の前端角部５ａと手掛かり用凹所４との境目や扉板間隙間９を確実に覆い隠すことができる。
【発明の効果】
【００１０】
本発明は、手掛かり用凹所の前側片と後方延出片とを前後方向に重なるように配置すると共に、前側片の根元部分の後方位置にて後方延出片の後面部分と手掛かり用凹所の後面部分とを蝶番で連結することにより、手掛かり用凹所は把手としての本来機能に加えて、扉板間隙間を覆う隙間カバーとして機能し、折戸の外観性を高めることができるものであり、さらに折戸を部屋の間仕切りに使用した場合は、隣室からの明かり漏れを防止できるものである。
【発明を実施するための最良の形態】
【００１１】
以下、本発明を添付図面に示す実施形態に基いて説明する。
【００１２】
図２は折戸１を構成する２枚の扉板２を閉じた状態の説明図であり、図３は折戸１の開閉操作の説明図である。
【００１３】
折戸１は、２枚の扉板２が蝶番３で連結され、扉板２の上部又は下部には図示しない走行用のローラーが取り付けられ、該走行用のローラーが鴨居や敷居に敷設したレールを走行して、折戸１の開閉を容易にしている。
【００１４】
図１を参照して、２枚の扉板２の相対向する両側端部２ａは、蝶番３を介して回動自在に連結されている。図１の例では、一方の扉板２の蝶番３側の側端部２ａから平面視略Ｕ字状に窪んだ手掛かり用凹所４Ａ（以下、手掛かり用凹所４Ａと略す。）を形成している。他方の扉板２の蝶番３側の側端部２ａからは手掛かり用凹所４Ａと向き合うようにして、平面視略Ｕ字状に窪んだ他方の手掛かり用凹所４Ｂが形成されている。この他方の手掛かり用凹所４Ｂの前端部からは前側片６Ｂが突設され、また手掛かり用凹所４Ｂの後端部からは後方延出片５が延出されている。後方延出片５は、２枚の扉板を閉じた状態では、手掛かり用凹所４Ａの前側片６と前後方向Ｄに重なる位置まで延びるようになっている。また本例では後方延出片５の蝶番３が取り付けられる後面部分７と反対側の前端角部５ａが面取りされている。そして、手掛かり用凹所４Ａの前側片６の根元部分６ａの後方Ｆ位置にて、上記後方延出片５の後面部分７と手掛かり用凹所４Ａの後面部分８とが蝶番３で回転自在に連結されるようになっている。
【００１５】
本例では、後方延出片５を他方の扉板２の側端部２ａと別体で構成し、後方延出片５を他方の扉板２の側端部２ａの後面部分７に設けた凹所３０に嵌入固定しているが、勿論これに限らず、後方延出片５を他方の扉板２の側端部２ａと一体成形することも可能である。
【００１６】
また上記蝶番３は、２枚の扉板２を回動自在に連結するもので、一対の蝶片３ａと、両蝶片３ａを回動自在に連結するヒンジ部３ｂとで構成されている。本例では、後方延出片５の後面部分７と手掛かり用凹所４Ａの後面部分８とに凹部１２をそれぞれ設け、各凹部１２内に蝶片３ａをそれぞれ埋込み固定している。
【００１７】
ここで、上記手掛かり用凹所４（４Ｂ）の前側片６（６Ｂ）及び後方延出片５は、それぞれ、扉板２の上下方向Ｂ全長に亘って設けられており、蝶番３により生じる扉板間隙間９の上下方向Ｂの全領域に亘って覆い隠すようになっている。
【００１８】
図３（ａ）は２枚の扉板２を開いた状態であり、同（ｂ）は閉める途中の状態であり、同（ｃ）は閉じた状態を示しており、閉じた状態では２枚の扉板２は平らな状態となる。
【００１９】
しかして、図３（ａ）のように２枚の扉板２を閉じた状態では、図１に示すように、正面方向から見ると前側片６によって蝶番３による扉板間隙間９は見えなくなる。またこの前側片６は、扉板２の上下方向Ｂ全長に亘って設けられているので、扉板間隙間９の上下方向Ｂの全領域が覆い隠される形となる。そのうえ扉板間隙間９は、前側片６の根元部分６ａの後方Ｆ位置にあるので、正面方向からだけでなく、斜め方向からも見えないようにできる。しかも本例では、後方延出片５の前端角部５ａが面取されているので美観が一層良くなる。つまり後方延出片５の前端角部５ａが鋭角であると手掛かり用凹所４Ａとの境目がくっきりと目立つようになるが、後方延出片５の前端角部５ａに丸みを持たせることで、手掛かり用凹所４Ａとの境目がぼやけて、目立ちにくくなる。この結果、折戸１全体の美観が向上する効果が得られる。
【００２０】
また、折戸１を閉じる際に、仮りに図３（ｂ）の状態で扉板間隙間９に指が入り込んだとしても、閉じていく過程で手掛かり用凹所４Ａの前側片６が突出して指を扉板間隙間９から押し出す形となるので、図１のように閉じた状態では扉板間隙間９に指を挟み込む虞がなく、この結果、デザイン性だけでなく安全性にも優れた利点が得られる。さらに本発明の折戸１を部屋の間仕切りに使用した場合は、前側片６によって隣室からの明かり漏れを確実に防止できる利点もある。
【００２１】
また本例では、後方延出片５の後面部分７と手掛かり用凹所４Ａの後面部分８とに凹部１２をそれぞれ設け、各凹部１２内に蝶片３ａを埋込み固定しているので、折戸１を開いて折り畳んだときに蝶番３により必然的に生じる扉板間隙間９を従来よりも狭めることができる。つまり、後方延出片５の後面部分７と手掛かり用凹所４Ａの後面部分８とに凹部１２を設けないで蝶番３を取り付けた場合、折戸１を開いて折り畳んだときに蝶番３により必然的に生じる扉板間隙間９は、ヒンジ部３ｂと２枚の蝶片３ａとの総厚となり、扉板間隙間９が必然的に大きくなる。これに対して本例では、蝶片３ａの厚みが扉板２にそれぞれ吸収されて、折戸１を開いて折り畳んだときに蝶番３により必然的に生じる扉板間隙間９は、ヒンジ部３ｂだけの僅かな厚みとなり、扉板間隙間９を必然的に狭くできる。この結果、折戸１の美観を一層向上させることができる。
【００２２】
さらに折戸１が開かれたときは、２枚の扉板２が屏風を閉じたように折り畳まれる。このとき本例では両手掛かり用凹所４の両前側片６がそれぞれ丸みを持っており、さらに後方延出片５の前端角部５ａが面取りされているため、美観が向上するだけでなく、扉板２を開いたときには手前に突出する部分に鋭角な角部が存在しなくなるので、体や指が触れたりしても安全であり、清掃がしやすくなる等の利点もある。
【００２３】
図４は本発明の他の実施形態であり、一方の手掛かり用凹所４の前側片６の後面側に、後方延出片５の蝶番３が取り付けられる後面部分７と反対側の前端面５ｂと重なるように配置される突条部１１を設け、後方延出片５の前端角部５ａを突条部１１にて前方から覆うようにしたものである。他の構造は図１と同様である。本例では、突条部１１の先端が前側片６の根元部分６ａの後方Ｆ位置まで延びており、扉板２を閉じた状態で手掛かり用凹所４Ａ側から突出した突条部１１が後方延出片５の前端面５ｂと前後に重なることによって、正面方向から見た場合に限らず例えば図４の矢印Ｎで示す斜め方向から見ても後方延出片５の前端角部５ａと手掛かり用凹所４との境目や扉板間隙間９を確実に覆い隠すことができる利点があり、そのうえ、突条部１１によって後方延出片５の前後方向Ｄの動きを規制できるので、蝶番３にかかる負担を軽減でき、２枚の扉板２の反り防止効果が得られる利点もある。
【００２４】
図５は、後方延出片５の蝶番３が取り付けられる後面部分７と反対側の前端角部５ａから、手掛かり用凹所４Ａの前側片６の根元部分６ａに向かって突出する凸リブ１０を設けた場合の一例を示している。他の構造は図１と同様である。本例では扉板２を閉じた状態で後方延出片５の前端角部５ａから前方Ｅに向かって突出した凸リブ１０の先端が手掛かり用凹所４Ａの前側片６に接近することで、正面方向から見た場合に限らず例えば図４の矢印Ｎで示す斜め方向から見ても後方延出片５の先端部分と手掛かり用凹所４との境目や扉板間隙間９を見えなくでき、美観が一層向上する。さらに、凸リブ１０によって扉板間隙間９への指詰め防止効果や明かり漏れ防止効果がより一層向上するものである。
【図面の簡単な説明】
【００２５】
【図１】本発明の一実施形態の折戸を構成する２枚の扉板の側端部を蝶番で連結した構造を示し、図２（ａ）のＡ−Ａ線に沿う平面断面図である。
【図２】同上の折戸を構成する２枚の扉板を閉じた状態を示し、（ａ）は正面図、（ｂ）は平面図、（ｃ）は底面図である。
【図３】（ａ）は同上の折戸を開いた状態を示し、（ｂ）は折戸を閉める途中の状態を示し、（ｃ）は折戸を開いた状態を示す図である。
【図４】本発明の他の実施形態の説明図である。
【図５】本発明の更に他の実施形態の説明図である。
【符号の説明】
【００２６】
１  折戸
２  扉板
２ａ  側端部
３  蝶番
４  手掛かり用凹所
５  後方延出片
５ａ  前端角部
５ｂ  前端面
６  前側片
６ａ  根元部分
７  後方延出片の後面部分
８  手掛かり用凹所の後面部分
１０  凸リブ
１１  突条部
Ｂ  上下方向
Ｄ  前後方向
Ｅ  前方
Ｆ  後方 
【図１】
2008240377.tif 000003
【図２】
2008240377.tif 000004
【図３】
2008240377.tif 000005
【図４】
2008240377.tif 000006
【図５】
2008240377.tif 000007